(57)【要約】【課題】  ディスプレイ本体をスタンドユニットで傾斜姿勢に支えさせるようにしたディスプレイ装置において、傾斜姿勢のディスプレイ本体を不慮に手で押し付けたような場合に、スタンでユニットの脚体が押し込まれてディスプレイ本体が後方へ容易に倒れ込まないようにする。【解決手段】  スタンドユニットＡが、脚体３の上端部に固着されたスライダ２と、スライダ２を内蔵するケース１と、スライダ２を上位置と下位置との２位置で規制するスライダ位置規制手段５とを有する。スライダ位置規制手段５がカム部６とばね体７とを備える。ばね体７が係合部７１を有し、カム部６が、上側係止部６１と下側係止部６２とそれらを連設している波形の凹凸面６４とを備える。凹凸面６４は係合部７１が滑って移動するときの移動抵抗を増大させる機能を備えている。【選択図】        図１
0003112838.tif 000002
【実用新案登録請求の範囲】
【請求項１】
前向き表示面を有するディスプレイ本体と、このディスプレイ本体に取り付けられてそのディスプレイ本体を傾斜姿勢に支えるための伸縮可能な脚体を備えたスタンドユニットとを備え、このスタンドユニットが、上記脚体の上端部に固着されたスライダと、そのスライダを上下方向スライド自在に内蔵するケースと、上記スライダと上記ケースとの間に介在されてそのケース内でのスライダの位置を上位置と下位置との２位置で規制することによって上記ケースからの上記脚体の突出長さを２段階に伸縮可能としているスライダ位置規制手段と、を有するディスプレイ装置において、
上記スライダ位置規制手段が、上記スライダ側に設けられて上端部の上側係止部と下端部の下側係止部とを有するカム部と、上記ケース側に設けられて上記上側係止部と上記下側係止部とが選択的に係止可能な係合部と、この係合部を上記カム部に向けて常時弾発付勢するばね体とを備え、
上記ばね体は、頂部が上記係合部を形成している山形部と、その山形部の両端から延び出て上記係合部の横方向での出退動作に伴う上記山形部の変形によって上記ケースに具備された支持面に支えられてその支持面上で上下に変位する一対の座部とを有する板ばねでなり、
上記カム部に、その上側係止部と上記下側係止部とを連設してこれら両係止部相互間で上記係合部が相対移動するときの移動抵抗を増大させる波形の凹凸面を具備させ、この凹凸面に、上記係合部を係止して位置決めすることによって上記ケースからの上記脚体の突出長さを１段階又は多段階に規制する脚体長さ調節機能を付与してあると共に、上記ばね体の山形部に対する押圧力を調節することによりそのばね体の弾性の大きさを増減調節する弾性調節手段を有していることを特徴とするディスプレイ装置。
【請求項２】
前向き表示面を有するディスプレイ本体と、このディスプレイ本体に取り付けられてそのディスプレイ本体を傾斜姿勢に支えるための伸縮可能な脚体を備えたスタンドユニットとを備え、このスタンドユニットが、上記脚体の上端部に固着されたスライダと、そのスライダを上下方向スライド自在に内蔵するケースと、上記スライダと上記ケースとの間に介在されてそのケース内でのスライダの位置を上位置と下位置との２位置で規制することによって上記ケースからの上記脚体の突出長さを２段階に伸縮可能としているスライダ位置規制手段と、を有するディスプレイ装置において、
上記スライダ位置規制手段が、上記スライダ及び上記ケースのうちの一方側に設けられて上端部の上側係止部と下端部の下側係止部とを有するカム部と、他方側に設けられて上記上側係止部と下側係止部とが選択的に係止可能な係合部と、この係合部を上記カム部に向けて常時弾発付勢するばね体とを備え、上記カム部に、その上側係止部と上記下側係止部とを連設してこれら両係止部相互間で上記係合部が相対移動するときの移動抵抗を増大させる波形の凹凸面を具備させてあることを特徴とするディスプレイ装置。
【請求項３】
上記凹凸面に、上記係合部を係止して位置決めすることによって上記ケースからの上記脚体の突出長さを１段階又は多段階に規制する脚体長さ調節機能を付与してある請求項２に記載したディスプレイ装置。
【請求項４】
上記ばね体は、頂部が上記係合部を形成している山形部と、その山形部の両端から延び出た一対の座部とを有し、それらの座部が、上記係合部の横方向での出退動作に伴う上記山形部の変形によって上下に変位可能となるように支持された板ばねでなる請求項３に記載したディスプレイ装置。
【請求項５】
上記ばね体の山形部に対する押圧力を調節することによりそのばね体の弾性の大きさを増減調節する弾性調節手段を有する請求項４に記載したディスプレイ装置。
【考案の詳細な説明】
【技術分野】
【０００１】
本考案は、ディスプレイ装置、詳しくは、ディスプレイ本体を傾斜姿勢に支えるためのスタンドユニットに、その脚体の有効長を長くしたり短くしたりすることのできる脚体伸縮機能を付与してあるディスプレイ装置に関する。
【背景技術】
【０００２】
従来、前向きの表示面を有するディスプレイ本体にスタンドユニットを取り付けることによってそのディスプレイ本体を傾斜させて設置できるようにしたものが提案されている。このものでは、スタンドユニットの脚体の有効長を２段階に調節することができるようになっていると共に、その脚体をディスプレイ本体の背部に格納したりディスプレイ本体の背部から引き出したりすることができるようになっている（たとえば、特許文献１、特許文献２参照）。このような従来のディスプレイ装置に採用されているスタンドユニットＡの構成を図７及び図８を参照して略述する。
【０００３】
このスタンドユニットＡは、図示していないディスプレイ本体の背面に固着される取付け用ベース１００を有し、このベース１００に左右の横軸１１０を介して偏平箱形のケース１が揺動可能に取り付けられていると共に、このケース１が、図に現れていない位置決め機構の作用によって、ベース１００の凹所１２０に収容される格納位置と、その凹所１２０から斜め下向きに傾斜して張り出す作用位置との２位置で位置決めされているようになっている。なお、図７及び図８に示したスタンドユニットＡでは、図示省略した合わせカバーをケース本体１２の所要箇所に具備されているねじ孔１３を利用してそのケース本体１２にビス止めすることによって偏平箱形の上記ケース１が形成される。このため、図７及び図８では、便宜上、ケース本体を示す符号１２にケースを示す符号１を併記してある。
【０００４】
上記スタンドユニットＡは、脚体３を有し、その脚体３の上端部に固着されたスライダ２がケース１に上下方向スライド自在に内蔵されているのに対し、ケース１にはスライド位置規制手段５が備わっていて、このスライド位置規制手段５の作用によって、スライダ２が、ケース１内で上位置（図７参照）と下位置（図８参照）との２位置で規制されるようになっている。このスライダ位置規制手段５は、上端部の上側係止部６１と下端部の下側係止部６２とが平坦面６３によって連設されているカム部６と、上記の上側係止部６１と下側係止部６２とが選択的に係止可能な係合部７１を備えた板ばねでなるばね体７とによって構成されていて、係合部７１がばね体７に形成された山形部分の頂部によって形成されている。また、カム部６がスライダ２側に設けられ、ばね体７がケース１側に設けられている。
【０００５】
そして、図７の矢印Ｙ１のようにスライダ２を上方に移動させてカム部６の下側係止部６２を係合部７１に係止させると、ケース１からの脚体３の突出長さ（すなわち有効長）が短くなる。したがって、その状態でケース１を格納位置に押し込むと、脚体３も図示していないディスプレイ本体の背部にその全長部分が格納される。これに対し、ケース１を格納位置から作用位置に引き出すと共に、図８の矢印Ｙ２のようにスライダ２を下方に移動させてカム部６の上側係止部６１を係合部７１に係止させると、ケース１からの脚体３の有効長が長くなる。この場合に、図示していないディスプレイ本体の下端部と脚体３とを床面などに着座させると、脚体３によってディスプレイ本体を傾斜姿勢に支えさせることができる。
【０００６】
一方、ディスプレイ装置に固定脚と可動脚とを設け、そのうちの可動脚の傾斜角度を変更することによってディスプレイ装置の傾斜角度を可変にすることも提案されている（たとえば、特許文献３参照）。そして、この特許文献３のものでは、可動脚の傾斜角度を歯車やストッパ部材を用いて無段階に可変としてある。
【特許文献１】実用新案登録第３０９６７４６号公報
【特許文献２】特開２００５−６０５７号公報
【特許文献３】実開昭６１−１９２９３号公報
【考案の開示】
【考案が解決しようとする課題】
【０００７】
図７及び図８を参照して説明した従来のスタンドユニットＡでは、図８の矢印Ｙ２のようにスライダ２を下方に移動させて有効長を長くした脚体３でディスプレイ本体を傾斜姿勢に支えさせた場合、ディスプレイ本体の重量などによる荷重が、ばね体７の山形部分の頂部によって形成されている係合部７１を介してカム部６の上側係止部６１によって受け止められる。そのため、スタンドユニットＡでディスプレイ本体を傾斜姿勢に安定性よく支えさせるためには、ばね体７の係合部７１がカム部６の上側係止部６１を押し付けても、その係合部７１が後退することなくその上側係止部６１に係止したまま保たれる程度の大きさの弾性をそのばね体７が有していることが要求される。
【０００８】
その反面で、脚体３の有効長を長くするときには、脚体３を手で引張ることによって、図７のようにばね体７の係合部７１を係止しているカム部６の下側係止部６２を、その係合部７１から外した後、カム部６の平坦面６３を上記係合部７１に対し滑らせて図８のようにカム部６の上側係止部６１をその係合部７１に係合させるという操作が行われ、また、脚体３の有効長を短くするときには、脚体３を手で押し込むことによって、図８のようにカム部６の係合部７１に係止している上側係止部６１をその係合部７１から外した後、カム部６の平坦面６３を上記係合部７１に対して滑らせて図７のようにカム部６の下側係止部６２をその係合部７１に係止させるという操作が行われるので、ばね体７の弾性を、そのような操作を行うことができる程度の大きさに定めておくことが要求される。
【０００９】
このことから、このスタンドユニットＡを採用したディスプレイ装置では、ばね体６の弾性の大きさを、脚体３を手で引張ったときに、係合部７１を係止しているカム部６の下側係止部６２がばね体７の係合部７１を後退させつつ乗り越えることができる程度に抑え、かつ、脚体３を手で押し込んだときに、係合部７１を係止しているカム部６の上側係止部６１がばね体７の係合部７１を後退させつつ乗り越えることができる程度に抑えておく一方で、ディスプレイ本体を傾斜姿勢に支えさせているときにカム部６の上側係止部６１がばね体７の係合部７１から外れない程度に大きくしておく必要がある。その反面で、ばね体７の弾性が大きすぎると、脚体３を手で引張ってその有効長を長くしたり手で押し込んでその有効長を短くしたりすることができないという事態が起こり得る。
【００１０】
しかしながら、この従来例のように、スタンドユニットＡのばね体７の弾性の大きさを、脚体３を手で引張ってその有効長を長くしたり、脚体３を手で押し込んでその有効長を短くしたりすることができ、しかも、ディスプレイ本体を傾斜姿勢で支えることができる程度の大きさに定めてあると、傾斜姿勢に設置したディスプレイ本体が大形化されていてその重量が重くなっている場合や、傾斜姿勢に設置したディスプレイ本体に何らかの押付け外力が作用したような場合に、図８のようにカム部６の上側係止部６１が係合しているばね体７の係合部７１に加わる荷重が大きくなりすぎてその係合部７１がカム部６の上側係止部６１から外れてしまうというおそれのあることが知見された。
【００１１】
そして、仮に、スタンドユニットＡによってディスプレイ本体を傾斜姿勢に支えているときにそのような事態が起こると、カム部６の平坦面６３がばね体７の係合部７１を容易に滑ってしまうために脚体３が押し込まれてその有効長が短くなりすぎ、その結果、ディスプレイ本体が後方へ倒れ込んでしまうという事態が起こり得る。具体的には、床面に傾斜姿勢で設置したディスプレイ本体の表示面の画像を見て楽しんでいるときに、不意に手でそのディスプレイ本体を押さえつけてしまったようなときに、脚体３が押し込まれてディスプレイ本体が後方へ倒れ込んでしまうという事態が起こり得る。
【００１２】
本考案は以上の状況に鑑みてなされたものであり、脚体の有効長を長くしたり短くしたりする操作を手で行うことができ、しかも、ディスプレイ本体を傾斜姿勢で支えることができる程度に上記したばね体の弾性の大きさを定めてある場合に、カム部の上側係止部がばね体の係合部から外れ、カム部が滑って脚体が格納時の長さにまで押し込まれるという事態を起こりにくくする対策を講じることによって、そのばね体の弾性の大きさを変えなくても、ディスプレイ本体が大形化して重量が重くなっている場合や、ディスプレイ本体に何らかの押付け外力が作用したような場合に、傾斜姿勢のディスプレイ本体が後方へ倒れ込んでしまうという事態を防ぐことのできるディスプレイ装置を提供することを目的とする。
【００１３】
また、本考案は、必要部品点数を増やさずにカム部の形状を変更するだけで済み、ばね体の弾性を変更することなく上記目的を達成することのできるディスプレイ装置を提供することを目的とする。
【００１４】
さらに、本考案は、ばね体の弾性の大きさを増減調節することのできる対策を講じることによって、カム部の上側係止部がばね体の係合部から外れて脚体が押し込まれるという事態を防ぐ作用を、ディスプレイ本体の重量などに見合ってより適切に発揮させることのできるディスプレイ装置を提供することを目的とする。
【課題を解決するための手段】
【００１５】
本考案に係るディスプレイ装置は、前向き表示面を有するディスプレイ本体と、このディスプレイ本体に取り付けられてそのディスプレイ本体を傾斜姿勢に支えるための伸縮可能な脚体を備えたスタンドユニットとを備え、このスタンドユニットが、上記脚体の上端部に固着されたスライダと、そのスライダを上下方向スライド自在に内蔵するケースと、上記スライダと上記ケースとの間に介在されてそのケース内でのスライダの位置を上位置と下位置との２位置で規制することによって上記ケースからの上記脚体の突出長さを２段階に伸縮可能としているスライダ位置規制手段と、を有するディスプレイ装置において、上記スライダ位置規制手段が、上記スライダ及び上記ケースのうちの一方側に設けられて上端部の上側係止部と下端部の下側係止部とを有するカム部と、他方側に設けられて上記上側係止部と下側係止部とが選択的に係止可能な係合部と、この係合部を上記カム部に向けて常時弾発付勢するばね体とを備え、上記カム部に、その上側係止部と上記下側係止部とを連設してこれら両係止部相互間で上記係合部が相対移動するときの移動抵抗を増大させる波形の凹凸面を具備させてある。
【００１６】
この構成であれば、ディスプレイ本体を脚体が傾斜姿勢に支えているときに、カム部の上側係止部が係止しているばね体の係合部に加わる荷重が大きくなりすぎてカム部の上側係止部がその係合部から外れてしまったとしても、カム部の上側係止部に連接されている波形の凹凸面がばね体によって付勢されている係合部に引掛かるという状況が作り出されるため、その係合部がその凹凸面を滑って移動するときの移動抵抗が増大する。その結果、係合部がその凹凸面を滑ることによって脚体が押し込まれてしまうという事態が容易には起こらなくなる。したがって、ディスプレイ本体が大形化して重量が重くなっている場合や、ディスプレイ本体に何らかの押付け外力が作用したような場合に、脚体が押し込まれてその有効長が短くなることに起因するディスプレイ本体の後方への倒れ込みが防止される。
【００１７】
本考案では、上記凹凸面に、上記係合部を係止して位置決めすることによって上記ケースからの上記脚体の突出長さを１段階又は多段階に規制する脚体長さ調節機能を付与してある、という構成を採用することができる。これによれば、係合部を凹凸面に係合させて脚体の有効長を多段階に増減調節することが可能になる。そのため、脚体によって傾斜姿勢に支えられるディスプレイの傾斜角度を多段階に亘って調節することができるようになるという利点がある。
【００１８】
本考案において、上記ばね体は、頂部が上記係合部を形成している山形部と、その山形部の両端から延び出た一対の座部とを有し、それらの座部が、上記係合部の横方向での出退動作に伴う上記山形部の変形によって上下に変位可能となるように支持された板ばねでなることが望ましい。この構成を採用すことによりばね体の形状ないし構成が簡略化されてその製作コストを安く抑えることが可能になる。
【００１９】
本考案では、上記ばね体の山形部に対する押圧力を調節することによりそのばね体の弾性の大きさを増減調節する弾性調節手段を有することが望ましい。これによれば、ばね体自体を異なるばね定数を持つものに変更することなく、弾性調節手段によって係合部に対する付勢力を変化させることができるので、ディスプレイ本体の重量などに見合って係合部に付与する付勢力と、手で脚体を押し込んだり引き込んだりするときに必要な操作力の大きさとを、バランスよく調節することが可能になる。
【００２０】
本考案に係るディスプレイ装置は、前向き表示面を有するディスプレイ本体と、このディスプレイ本体に取り付けられてそのディスプレイ本体を傾斜姿勢に支えるための伸縮可能な脚体を備えたスタンドユニットとを備え、このスタンドユニットが、上記脚体の上端部に固着されたスライダと、そのスライダを上下方向スライド自在に内蔵するケースと、上記スライダと上記ケースとの間に介在されてそのケース内でのスライダの位置を上位置と下位置との２位置で規制することによって上記ケースからの上記脚体の突出長さを２段階に伸縮可能としているスライダ位置規制手段と、を有するディスプレイ装置において、上記スライダ位置規制手段が、上記スライダ側に設けられて上端部の上側係止部と下端部の下側係止部とを有するカム部と、上記ケース側に設けられて上記上側係止部と上記下側係止部とが選択的に係止可能な係合部と、この係合部を上記カム部に向けて常時弾発付勢するばね体とを備え、上記ばね体は、頂部が上記係合部を形成している山形部と、その山形部の両端から延び出て上記係合部の横方向での出退動作に伴う上記山形部の変形によって上記ケースに具備された支持面に支えられてその支持面上で上下に変位する一対の座部とを有する板ばねでなり、上記カム部に、その上側係止部と上記下側係止部とを連設してこれら両係止部相互間で上記係合部が相対移動するときの移動抵抗を増大させる波形の凹凸面を具備させ、この凹凸面に、上記係合部を係止して位置決めすることによって上記ケースからの上記脚体の突出長さを１段階又は多段階に規制する脚体長さ調節機能を付与してあると共に、上記ばね体の山形部に対する押圧力を調節することによりそのばね体の弾性の大きさを増減調節する弾性調節手段を有している、という構成を採用することによっていっそう具体化される。この考案の作用などについては後述する実施形態を参照して詳細に説明する。
【考案の効果】
【００２１】
本考案によれば、脚体を伸縮させてその有効長を長くしたり短くしたりする操作を手で行うことができ、しかも、ディスプレイ本体を傾斜姿勢で支えることができる程度にばね体の弾性の大きさを定めてある場合に、カム部に波形の凹凸面を具備させてその下側係止部と上側係止部とを連設するという対策を講じるだけで、何らかの外力が働いて上側係止部が係合部から外れたとしても、カム部が係合部を滑って脚体が押し込まれてしまうという事態が起こらなくなる。そのため、図７や図８を参照して説明したスタンドユニットの構成に大幅な変更を加えることなく、しかも、新たな部品を追加することなく、ディスプレイ本体を傾斜姿勢に支えている脚体が不慮に押し込まれてそのディスプレイ本体が後方へ倒れ込んでしまうという事態の起こることが防止される。したがって、ディスプレイ本体の表示面の画像をユーザが楽しんでいるときに、手でディスプレイ本体を不慮に押し付けるということが起こってもディスプレイ本体が後方へ倒れ込むという事態が起こらず、また、大形化されてその重量が重くなったディスプレイ本体に対しても、それより軽量なディスプレイ本体を支えるためのスタンドユニットをそのまま使用することが可能になって、部品の共通化によるディスプレイ装置の量産性を高めることが可能になる。
【００２２】
また、ばね体の弾性の大きさを増減調節するための弾性調節手段を有しているものでは、係合部に対するばね体の付勢力を増減調節するという操作を行うだけで、ディスプレイ本体を倒れないように支えさせるのに必要なばね体の付勢力と、脚体の有効長を伸縮させたりするのに必要な操作力とを適切にバランスさせることが可能になり、その結果、スタンドユニットの使い勝手が向上し、ディスプレイ本体が後方に倒れないにもかかわらず、脚体を伸縮させる操作を容易に行うことができるようになるという効果が奏される。
【考案を実施するための最良の形態】
【００２３】
図１は本考案の実施形態に係るディスプレイ装置に採用されているスタンドユニットＡの初期状態での内部構造を示した背面図、図２は同スタンドユニットＡの他の状態での内部構造を示した背面図、図３はさらに他の状態での内部構造を示した背面図、図４は図３のＩＶ部の拡大図である。また、図５は使用状態を例示した説明図、図６は他の使用状態を例示した説明図である。
【００２４】
図１〜図３に示したスタンドユニットＡは、４隅に取付けビス挿通孔１０１を有する矩形の取付用ベース１００を有し、それらの取付けビス挿通孔１０１に挿通させた取付けビス（不図示）をディスプレイ本体９（図５又は図６参照）の背面のビス孔にねじ込んで締め付けることによってそのディスプレイ本体９（図５又は図６参照）に固着される。
【００２５】
ベース１００の左右２箇所に同心に横軸１１０が設けられていて、これらの横軸１１０に偏平箱形のケース１の上端部が揺動可能に取り付けられ、このケース１が、図に現れていない位置決め機構の作用によって、ベース１００に形成されている凹所１２０に収容される格納位置と、その凹所１２０から斜め下向きに傾斜して張り出す作用位置との２位置で位置決めされているようになっている。図１〜図３では、図示省略した合わせカバーを、ケース本体１２の所要箇所に具備されているねじ孔１３を利用してそのケース本体１２にビス止めすることによって偏平箱形の上記ケース１が形成される。したがって、図１〜図３では、便宜上、ケース本体を示す符号１２にケースを示す符号１を併記してある。
【００２６】
スタンドユニットＡの脚体３には、その上端部に略矩形のスライダ２がビス止めによって固着されていて、そのスライダ２がケース１に上下方向でのみスライド自在に内蔵されているのに対し、ケース１にはスライド位置規制手段５が備わっていて、このスライド位置規制手段５の作用によってスライダ２がケース１内で図１に示した上位置と図２に示した下位置との２位置で規制されるようになっている。図４に拡大して示されているように、このスライダ位置規制手段５は、上端部の上側係止部６１と下端部の下側係止部６２とが波形の凹凸面６５によって連設されているカム部６と、上記の上側係止部６１と下側係止部６２とが選択的に係止可能な係合部７１を備えた板ばねでなるばね体７とによって構成されていて、係合部７１がばね体７に形成されたＶ字状山形部７２の頂部によって形成されている。また、カム部６は、スライダ２の片側部分に一体に成形されているのに対し、ばね体７はケース１側に設けられている。そして、ばね体７は、上記山形部７２の両端から延び出て上記係合部７１の横方向（矢印Ｘ）での出退動作に伴う山形部７２の変形によってケース１のケース本体１２に具備された平坦な支持面１４に支えられてその支持面１４上で上下に変位する一対の座部７３，７３とを有する板ばねでなる。
【００２７】
以上の構成で、図１の矢印Ｙ１のようにスライダ２を上方に移動させてカム部６の下側係止部６２を係合部７１に係止させると、脚体３が収縮してケース１からの脚体３の突出長さ、すなわち有効長が短くなる。したがって、その状態でケース１を格納位置に押し込むと、脚体３もディスプレイ本体９（図５又は図６参照）の背部にその全長部分が格納される。これに対し、ケース１を格納位置から作用位置に引き出すと共に、図２の矢印Ｙ２のようにスライダ２を下方に移動させてカム部６の上側係止部６１を係合部７１に係止させると、脚体３が伸長してケース１からの脚体３の有効長が長くなる。この場合に、図示していないディスプレイ本体９（図５又は図６参照）の下端部と脚体３とを床面などに着座させると、脚体３によってディスプレイ本体（図５又は図６参照）を傾斜姿勢に支えさせることができる。
【００２８】
この実施形態では、カム部６の上側係止部６１と下側係止部６２とが波形の凹凸面６５によって連設されていて、その凹凸面６５に、係合部７１が移動するときの移動抵抗を増大させる機能が付与されている。すなわち、カム部６の上側係止部６１と下側係止部６２とが波形の凹凸面６５によって連設されていると、係合部７１に弾接した凹凸面６５がその係合部７１を滑って移動するときに、凹凸面６５が係合部７１に引掛かりながらその凹凸面６５の山部６５ａが係合部７１を乗り越えて移動することになるので、そのような乗り越えに要する力が移動抵抗になって凹凸面６５が移動しにくくなる。このため、仮に、図５又は図６のようにディスプレイ本体９を脚体３が傾斜姿勢に支えているときに、図２のようにカム部６の上側係止部６１が係止しているばね体７の係合部７１に加わる荷重が何らかの原因で大きくなりすぎてその上側係止部６１が係合部７１を後退させてその係合部７１から外れてしまったとしても、上側係止部６１に連接されている波形の凹凸面６５がばね体７によって付勢されている係合部７１に引掛かるという状況が作り出され、その結果として、上記した凹凸面６５の移動抵抗が増大して凹凸面６５のいずれかの山部６５ａが係合部７１に係合してスライダ２の上向き移動がその位置で停止する。調査の結果、ディスプレイ本体９をユーザが不慮に手で押し付けた場合であれば、上側係止部６１に隣接する１つ目の山部６５ａが係合部７１に係止した時点でユーザがディスプレイ本体９から咄嗟に手を離し、その時点でスライダ２の上向き移動が停止することが多いということが判っている。そのため、スライダ２が図１に示した位置にまで移動してしまって脚体３の有効長が格納時の長さになるまでその脚体３が押し込まれてしまうという事態が起こらず、ディスプレイ本体９が後方へ倒れ込んでしまうという状況も起こらなくなり、また、ディスプレイ本体９の傾斜角度もそれほど変化しないので、ユーザは引き続き表示面９１の画像を楽しむことが可能である。
【００２９】
また、上記凹凸面６５の山部６５ａが係合部７１を乗り越えるのに要する力は、カム部６の上側係止部６１や下側係止部６２が係合部７１を乗り越えるのに要する力よりも小さくなっている。すなわち、上側係止部６１や下側係止部６２の係合部７１に対する係止幅よりも、凹凸面６５の山部６５ａの係合部７１に対する係止幅が小さくなるように構成されている。そのため、図２のようにカム部６の上側係止部６１が係合部７１に係止している状態から脚体３を押し込んでその有効長を格納時の長さにまで短くするときには、上側係止部６１が係合部７１を乗り越えるだけの力で脚体３を押し込めば、大抵の場合に凹凸面６５の全体がそのときの勢いで係合部７１を乗り越えてしまうようになって、脚体３の有効長を格納時の長さにまで容易に短くすることが可能である。同様に、図１のようにカム部６の下側係止部６１が係合部７１に係止している状態から脚体３を引き出してその有効長を作用時の長さにまで長くするときには、下側係止部６１が係合部７１を乗り越えるだけの力で脚体を引き出せば、大抵の場合に凹凸面６５の全体がそのときの勢いで係合部７１を乗り越えてしまうようになって、脚体３の有効長を作用時の長さにまで容易に長くすることが可能である。
【００３０】
したがって、上記したスタンドユニットＡを採用したディスプレイ装置によれば、図７又は図８を参照して説明したカム部２の平坦面６３を上記凹凸面６３に変更するだけで、傾斜姿勢に設置したディスプレイ本体９に不慮の外力が加えられた場合に脚体３が押し込まれてそのディスプレイ本体９が後方へ倒れ込むという事態が起こらなくなるか、あるいは、起こりにくくなる。それにもかかわず、脚体３を押し込んだり引き出したりするときの操作力は、図６又は図８を参照して説明したスタンドユニットＡと同等程度に抑えられるために、そのスタンドユニットＡの使い勝手が低下するという事態は起こらない。
【００３１】
この実施形態では、カム部６の凹凸面６５を形成しているいずれかの山部６５ａが、ばね体７の山形部７２の頂部によって形成されている係合部７１に係止したときに、傾斜姿勢のディスプレイ本体９（図５又は図６参照）の重量がその係合部７１により受け止められてそのディスプレイ本体９が傾斜姿勢に保たれるようになっている。言い換えると、凹凸面６５に、脚体３の有効長を多段階に規制する脚体長さ調節機能が付与されている。そのため、脚体３を引き出すときの力加減を調節して脚体３の有効長を長く定めたり短く定めたりすることが可能になる。したがって、このことを利用すれば、たとえば脚体３の有効長を長く定めて図５のようにディスプレイ本体１の傾斜角度θ１を小さくし、そうすることによってディスプレイ本体１の前向きの表示面９１を垂直に近づけておいたり、あるいは、脚体３の有効長を短く定めて図６のようにディスプレイ本体１の傾斜角度θ２を大きくし、そうすることによってディスプレイ本体１の前向きの表示面９１を最大傾斜角に近づけておくことが可能である。なお、上記最大傾斜角とは、脚体３を最も長く引き出して図２のようにカム部６の上側係止部６１を係合部７１に係止させているときのディスプレイ本体の傾斜角である。
【００３２】
また、この実施形態では、図４などに示したように、ばね体７の山形部７２の背部に弾性調節手段８を設けている。この弾性調節手段８は、上記山形部７２の背部に筒状のゴムでなる弾性体８１を配備し、この弾性体８１に挿通させた調製ねじ８２をケース１のカバーに設けたねじ孔にねじ込むことによって構成されていて、その調製ねじ８２は、ケーシの外側からねじ込む方向及び緩める方向に回転操作することができるようになっている。この弾性調節手段８を設けておくと、調製ねじ８２をねじ込んでその頭部で弾性体８１を軸方向に押圧させると、それによって弾性体８１の外周面が径方向外側へ膨らんでばね体７の山形部７２をカム部６側に押圧するのに対し、調製ねじ８２を緩める方向に回転させて弾性体８１を軸方向に伸長させると、それによって弾性体８１の外周面が径方向内側へ収縮してばね体７の山形部７２に対する押圧力が小さくなる。したがって、調製ねじ８２のねじ込み代を増減して弾性体８１の外周面の膨らみ代を増減調節することにより、ばね体７の山形部７２に対する弾性体８１の押圧力が増減調節されて、係合部７１が後退するのに要する力の大きさが調節される。そして、この機能を利用することにより、ディスプレイ本体９を倒れないように支えさせるのに必要なばね体７の付勢力と、脚体３の有効長を伸縮させたりするのに必要な操作力とを適切にバランスさせることが可能になり、その結果、スタンドユニットの使い勝手が向上し、ディスプレイ本体９が後方に倒れないにもかかわらず、脚体３を伸縮させる操作を容易に行うことができるようになる。
【００３３】
この実施形態では、スタンドユニットＡのカム部６がスライダ２側に設けられ、ばね体７がケース１側に設けられているけれども、この点は、カム部をケース側に設け、ばね体をスライダ側に設けておいてもよい。また、カム部６の凹凸面６５が複数の山部６５ａを有する構成としてあるけれども、この点は、凹凸面６５を１つずつの山部と谷部とを有する形状に形成しておいてもよい。
【図面の簡単な説明】
【００３４】
【図１】本考案の実施形態に係るディスプレイ装置に採用されているスタンドユニットの初期状態での内部構造の背面図である。
【図２】同スタンドユニットの他の状態での内部構造の背面図である。
【図３】同スタンドユニットのさらに他の状態での内部構造の背面図である。
【図４】図４は図３のＩＶ部の拡大図である。
【図５】使用状態を例示した説明図である。
【図６】他の使用状態を例示した説明図である。
【図７】従来のディスプレイ装置に採用されているステンドユニットの初期状態での内部構造の背面図である。
【図８】同スタンドユニットの他の状態での内部構造の背面図である。
【符号の説明】
【００３５】
Ａ  スタンドユニット
１  ケース
２  スライダ
３  脚体
５  スライダ位置規制手段
６  カム部
７  ばね体
８  弾性調節手段
９  ディスプレイ本体
１４  支持面
６１  上側係止部
６２  下側係止部
６５  凹凸面
７１  係合部
７２  山形部
７３  座部
９１  表示面
【図１】
0003112838.tif 000003
【図２】
0003112838.tif 000004
【図３】
0003112838.tif 000005
【図４】
0003112838.tif 000006
【図５】
0003112838.tif 000007
【図６】
0003112838.tif 000008
【図７】
0003112838.tif 000009
【図８】
0003112838.tif 000010